(57)【要約】【課題】清掃手段が外部に露出することを抑制することができて、装置全体の外観を美麗に保つことができるとともに、天候に関係なく清掃作業を実行することができる建物外面清掃装置を提供する。【解決手段】モータの駆動により建物１１に設けられた案内レール１２及び案内溝１３に沿って移動可能な移動枠１７を設ける。その移動枠１７には、建物１１の外面１１ｂを清掃するための清掃機構２１を所定範囲内で移動可能に支持する。移動枠１７の外側面には、清掃機構２１を覆う太陽電池パネル２５を設ける。この場合、太陽電池パネル２５は、清掃機構２１の移動範囲をカバーする大きさとなるように構成する。【選択図】図１
2010142297.tif 000002
【特許請求の範囲】
【請求項１】
建物に設けられた案内手段に沿って移動可能な移動枠を設け、その移動枠には建物の外面を清掃するための清掃手段を設けるとともに、前記移動枠には前記清掃手段を覆う太陽電池パネルを設けたことを特徴とする建物外面清掃装置。
【請求項２】
前記清掃手段を前記移動枠上において所定範囲内を移動できるように構成し、前記太陽電池パネルを前記清掃手段の移動範囲がカバーされる大きさにしたことを特徴とする請求項１に記載の建物外面清掃装置。
【請求項３】
前記太陽電池パネルの受光角度を調節するための調節手段を設けたことを特徴とする請求項１または２に記載の建物外面清掃装置。
【発明の詳細な説明】
【技術分野】
【０００１】
この発明は、建物の外面に設置され、その建物のガラス面等の外面を清掃するようにした建物外面清掃装置に関するものである。
【背景技術】
【０００２】
従来、この種の装置に類似する装置としては、例えば特許文献１に開示されるような構成が提案されている。この従来構成は、自動車道路の遮音壁を清掃するものである。すなわち、前記遮音壁に上下一対のガイドレールが延長配置され、そのガイドレール間には装置本体が移動可能に支持されている。装置本体には、その装置本体を移動させるための走行ローラ、及びその走行ローラを回転させるための走行モータが搭載されている。装置本体内には、回転することにより遮音壁を清掃するための清掃ブラシ、及びその清掃ブラシを回転させるためのブラシモータが外部に露出した状態で設けられている。
【０００３】
そして、前記装置本体の上面には太陽電池パネルが支持され、晴天時においてこの太陽電池パネルによって発電された電力が装置本体内の蓄電池に蓄えられる。装置本体上には、降雨を検出するための雨滴検知センサが設けられている。そして、この雨滴検知センサにより降雨が検出されたとき、二次電池の電力を用いて走行用モータ及びブラシモータが駆動される。このため、走行ローラが回転されて、装置本体が遮音壁に沿って移動される。それとともに、清掃ブラシが回転されて、雨水を用いて、遮音壁が清掃される。
【特許文献１】特開平８−２１８３３６号公報
【発明の開示】
【発明が解決しようとする課題】
【０００４】
ところが、この従来の建物外面清掃装置においては、次のような問題があった。まず、清掃ブラシが装置本体内に外部へ露出した状態で設けられているため、装置外観は好ましいものではない。また、雨滴検知センサにより降雨が検出された場合のみに、走行用モータ及びブラシモータが駆動されるように構成されているため、晴天時には清掃作業を行うことができなかった。しかも、降雨量が少ない場合には、清掃動作が実行されても、清掃に要する水量が少ないために、実質的な清掃を行うことはできないものであった。加えて、装置本体の上面に太陽電池パネルが設けられる構造であるため、その太陽電池パネルを大面積のものにすることは困難であり、発電量が不足になるおそれが多分にあった。特に、梅雨期等においては、車両走行にともなう跳ね水により壁面が汚れやすいが、この時期は日照量が少なく、従って、有効な清掃を行なうことが難しい。
【０００５】
この発明は、このような従来の技術に存在する問題点に着目してなされたものである。その目的は、清掃手段が外部に露出することを防止することができて、装置全体の外観を美麗に保つことができるとともに、大面積の太陽電池パネルを設置できて、天候に左右されることなく清掃作業を実行することを可能にした建物外面清掃装置を提供することにある。
【課題を解決するための手段】
【０００６】
上記の目的を達成するために、この発明は、建物に設けられた案内手段に沿って移動可能な移動枠を設け、その移動枠には建物の外面を清掃するための清掃手段を設けるとともに、前記移動枠には前記清掃手段を覆う太陽電池パネルを設けたことを特徴としている。なお、ここで、建物とは、ビルや体育館等の施設だけではなく、防護壁等の人工的に建設されたもの全てを含む。
【０００７】
従って、この発明の建物外面清掃装置においては、清掃手段が外部に露出することなく、太陽電池パネルにより覆い隠された状態にある。よって、清掃手段の露出に起因して、装置全体の外観が損なわれるおそれを抑制することができる。しかも、清掃装置の運転を降雨時に限定されることなく自由に行うことができるため、清掃作業を天候に関係なく実行することができる。
【０００８】
また、前記の構成において、前記清掃手段を前記移動枠上において所定範囲内を移動できるように構成し、前記太陽電池パネルを前記清掃手段の移動範囲がカバーされる大きさにするとよい。このように構成した場合には、移動枠の移動と清掃手段の移動との協働により、建物の外面を広範囲にわたって清掃することができる。しかも、太陽電池パネルの面積が広く形成されているため、清掃手段が移動するにも拘らず、その清掃手段を太陽電池パネルにより覆い隠した状態に維持することができるとともに、清掃時の水が装置外に飛び散ることを防止できる。
【０００９】
さらに、前記の構成において、前記太陽電池パネルの受光角度を調節するための調節手段を設けるとよい。このように構成した場合には、太陽電池パネルの受光角度を太陽光の受光方向に合わせて調節することができて、太陽電池パネルの発電効率を高めることができる。
【発明の効果】
【００１０】
以上のように、この発明によれば、清掃手段が外部に露出することを抑制することができて、装置全体の外観を美麗に保つことができるとともに、天候に関係なく建物外面の清掃作業を実行することができるという効果を発揮する。
【発明を実施するための最良の形態】
【００１１】
（第１実施形態）
以下に、この発明の第１実施形態を、図１〜図４に基づいて説明する。
図１及び図２に示すように、建物１１の屋上１１ａには、案内手段としての一対の案内レール１２が建物１１の外面１１ｂに沿って平行に延びるように敷設されている。なお、建物１１の外面は、ガラスや装飾パネル等により構成されるが、それらを詳細に図示することは省略する。建物１１の外面１１ｂには、案内手段としての一対の案内溝１３が案内レール１２と平行に延びるように形成されている。案内レール１２上には、移動ケース１４が複数の車輪１５を介して走行可能に支持されている。移動ケース１４内の下部には移動用モータ１６が配置され、この移動用モータ１６のモータ軸１６ａ上に前記車輪１５が固定されている。この車輪１５が回転されることにより、移動ケース１４が案内レール１２に沿って移動される。
【００１２】
図１及び図２に示すように、前記移動ケース１４には、移動枠１７が一体移動可能に突設されている。この移動枠１７は、建物１１の外面１１ｂに沿って上下方向に延びる一対の側面形ほぼ逆Ｌ字状の側枠部１７ａを備えている。各側枠部１７ａには、前記案内溝１３に転動可能に係合する各一対の案内ローラ１８が取り付けられている。そして、前記移動用モータ１６により移動ケース１４が案内レール１２に沿って移動されるとき、この移動枠１７が案内溝１３に沿って横方向に移動される。
【００１３】
図１及び図３に示すように、前記移動枠１７の両側枠部１７ａの内面には、案内溝部１９が側枠部１７ａの延長方向に沿って延びるように形成されている。各案内溝部１９内にはその延長方向に沿ってラック２０が設けられている。移動枠１７の両側枠部１７ａ間には、清掃手段としての横長状の清掃機構２１が案内溝部１９に転動可能に係合する一対の案内ローラ２２を介して、両側枠部１７ａの延長方向に沿って移動可能に支持されている。この場合、清掃機構２１の移動範囲は、建物１１の一層階分の外面１１ｂの上下幅に設定されている。前記清掃機構２１は、ケース状の本体部２１ａと、その本体部２１ａの後面に着脱可能に取り付けられたスポンジ等の多孔質材料よりなり、水を保持可能な清掃部材２１ｂとを備えている。
【００１４】
図３に示すように、前記各案内ローラ２２と同軸上には、ラック２０に噛み合うピニオン２３が支持されている。清掃機構２１の本体部２１ａ内には、移動用モータ２４が収容されている。前記ピニオン２３は前記移動用モータ２４のモータ軸２４ａに固定されるとともに、前記案内ローラ２２はモータ軸２４ａに自由回転可能に支持されている。そして、この移動用モータ２４により一対のピニオン２３が回転されることにより、ピニオン２３とラック２０との噛み合い位置が変更されて、清掃機構２１が案内溝部１９に沿って移動される。この清掃機構２１の移動にともなって、清掃部材２１ｂが建物１１の外面１１ｂに接触移動されて、その外面１１ｂが清掃される。
【００１５】
なお、この実施形態においては、前記移動用モータ１６及び移動用モータ２４は、そのモータ軸１６ａ，２４ａの両端がモータのステータの部分から突出した構造であって、その両端に前記車輪１５及び後述の案内ローラ２２が固定されている。従って、モータ軸１６ａ，２４ａの両端の車輪１５及び案内ローラ２２は、常に左右同速度で回転されて、斜行方向への力が作用しないようになっている。
【００１６】
図１に示すように、前記移動枠１７の両側枠部１７ａ間の外側前面には、半透明の太陽電池パネル２５がその上端部のヒンジ２６を介して上下方向に傾動可能に取り付けられている。この太陽電池パネル２５は、前記清掃機構２１の上下移動範囲をカバーできる大きさに形成されている。従って、清掃機構２１がいずれの位置に移動された状態においても、その清掃機構２１が太陽電池パネル２５により覆い隠されるようになっている。
【００１７】
図１及び図４に示すように、前記太陽電池パネル２５の下端部と移動枠１７の両側枠部１７ａとの間には、太陽電池パネル２５の受光角度を調節するための調節手段としての調節機構２７が設けられている。この調節機構２７は、太陽電池パネル２５の下端後部に突設された一対のラック２８と、両側枠部１７ａの内面に配置された一対の調節用モータ２９と、各ラック２８と噛み合うように、各調節用モータ２９のモータ軸に取り付けられたピニオン３０とから構成されている。そして、季節ごとの日照方向の変化に合わせて、調節用モータ２９の回転により、ピニオン３０及びラック２８を介して太陽電池パネル２５が上下方向に傾動されて、その受光角度が調節される。
【００１８】
なお、この実施形態における前記各モータ１６，２４，２９は、全てブレーキ機構付きのギヤドモータで、電圧が印加されていないときには、ブレーキが作用して回転しないようにロックされる。
【００１９】
図１及び図３に示すように、前記移動ケース１４内には、二次電池３１が配置され、太陽電池パネル２５において発電された電力がこの二次電池３１に蓄えられる。移動枠１７の両側枠部１７ａの内面には、送電ライン３２，３３が側枠部１７ａの長さ方向に沿って延長配置されている。この送電ライン３２，３３に前記清掃機構２１のスリップ電極（図示しない）が接触され、そのスリップ電極及びこの送電ライン３２，３３を介して清掃機構２１の移動用モータ２４に対する給電が行われる。移動ケース１４内には、建物外面清掃装置の動作を制御するための制御装置３４が配置されている。そして、この制御装置３４の制御により、移動枠１７の移動、清掃機構２１の移動、太陽電池パネル２５の傾動等の各種の動作が制御される。
【００２０】
建物外面清掃装置の各モータ１６，２４，２９や、制御装置３４等の電気機器の駆動電力は、前記二次電池３１から供給される。また、二次電池３１の蓄電量がその容量に達した場合は、太陽電池パネル２５の発電電力は建物内の他の電気機器の作動に供される。
【００２１】
図１及び図２に示すように、前記移動ケース１４内には、清掃機構２１の清掃部材２１ｂに洗浄水を供給するための供給手段としての供給機構３５が配置されている。供給機構３５の前面には、移動ケース１４の前面に開口する複数の供給口３５ａが設けられている。建物１１の屋上１１ａには、水道水の給水口３６が移動ケース１４の移動範囲の端部後方に対応するように配置されている。そして、移動ケース１４が移動範囲の端部に移動されたとき、移動ケース１４の後面に設けられた図示しない接続口を介して、給水口３６が供給機構３５に接続されるとともに、給水口３６の図示しないバルブが開放される。この状態で、図１に鎖線で示すように、清掃機構２１が両側枠部１７ａ間の上端後側部に移動されることにより、清掃機構２１の清掃部材２１ｂが供給機構３５の供給口３５ａに接触されて、供給口３５ａから清掃部材２１ｂに洗浄水が供給されて、その清掃部材２１ｂに含浸される。
【００２２】
図１に示すように、前記移動ケース１４の移動範囲の端部において、建物１１の屋上１１ａの案内レール１２間の位置には、リミットスイッチ３７が配置されている。リミットスイッチ３７と係合可能に対応するように、移動ケース１４の下面にはドグ３８が突設されている。そして、移動ケース１４が移動範囲の端部に移動されたとき、ドグ３８がリミットスイッチ３７と係合して、そのリミットスイッチ３７から検出信号が出力される。これによって、後述の給水動作が実行されるとともに、移動ケース１４の移動が一定時間停止を経て反転に移行される。
【００２３】
次に、前記のように構成された建物外面清掃装置の動作を説明する。
さて、この建物外面清掃装置においては、晴天時に太陽電池パネル２５で太陽光エネルギが電気エネルギに変換されて、発生した電力が移動ケース１４内の二次電池３１に蓄えられる。そして、制御装置３４から、例えば一定時間ごとに建物外面清掃装置の運転指令が出力されると、二次電池３１の電力を利用して移動用モータ２４が駆動され、清掃機構２１が移動枠１７の両側枠部１７ａ間において上端部の位置まで移動される。この移動により、清掃機構２１の清掃部材２１ｂが供給機構３５の供給口３５ａに接触される。また、二次電池３１に蓄えられた電力を利用して移動用モータ１６が駆動され、移動ケース１４が移動枠１７と一体に移動範囲の端部まで移動される。この移動により、移動ケース１４内の供給機構３５が図示しない接続口を介して、建物１１の屋上１１ａに設置された給水口３６に接続される。そして、この状態で、移動ケース１４が一定時間停止し、供給機構３５の供給口３５ａから清掃部材２１ｂに適量の洗浄水が供給されて、清掃部材２１ｂが湿潤される。
【００２４】
その後、二次電池３１の電力により移動用モータ１６が駆動され、移動ケース１４及び移動枠１７が建物１１の外面１１ｂに沿って横方向へ低速度で移動される。それとともに、二次電池３１の電力により移動用モータ２４が駆動され、清掃機構２１が移動枠１７の両側枠部１７ａ間において縦方向へ低速度で往復移動される。この往復移動により、清掃機構２１の清掃部材２１ｂが建物１１の外面１１ｂに沿って接触移動されて、その外面１１ｂが清掃される。
【００２５】
そして、清掃機構２１の清掃部材２１ｂの水分がなくなるタイミングで、移動枠１７が建物の端部に移動するとともに、清掃機構２１が上端部の位置まで移動して、清掃部材２１ｂに対する給水が実行され、その後、前記の清掃作業が再開される。
【００２６】
従って、この実施形態においては、以下の効果がある。
（１）  この実施形態においては、建物外面清掃装置の各種の動作が太陽光発電により得られた電力により行われるため、その動作に要するエネルギーコストが不要になる。
【００２７】
（２）  この実施形態においては、清掃機構２１が外部に露出することなく、太陽電池パネル２５により覆い隠された状態にある。このため、装置の外観が良好なものとなる。
（３）  この実施形態においては、清掃部材２１ｂに給水するための供給機構３５が設けられている。このため、清掃装置の運転を降雨時に限定されることなく行うことができ、外面１１ｂの清掃作業を天候に関係なく行うことができる。
【００２８】
（４）  この実施形態においては、清掃部材２１ｂの移動範囲、すなわち清掃部材２１ｂによる清掃範囲が太陽電池パネル２５によってカバーされている。従って、清掃時において、清掃部材２１ｂの部分等から水が飛散しても、その水は太陽電池パネル２５の裏面によって受け止められ、装置外に飛び散ることを防止できる。
【００２９】
（５）  この実施形態においては、清掃機構２１が移動枠１７上において所定範囲内を移動できるように構成され、太陽電池パネル２５が清掃機構２１の移動範囲をカバーする大きさとなるように形成されている。このため、移動枠１７の移動と清掃機構２１の移動との協働により、建物１１の外面１１ｂを広範囲にわたって清掃することができる。しかも、清掃機構２１が移動されるにも拘らず、その清掃機構２１を太陽電池パネル２５により覆い隠した状態に維持することができる。
【００３０】
（６）  この実施形態においては、太陽電池パネル２５が移動枠１７の前面側に設けられている。このため、前記のように、太陽電池パネル２５を清掃機構２１の移動範囲をカバーする大面積の太陽電池パネル２５を用いることができる。従って、大電力の発電が可能となる。
【００３１】
（７）  この実施形態においては、半透明の太陽電池パネル２５を用いているため、窓を太陽電池パネル２５を遮っていても、充分な採光を得ることができる。
（８）  この実施形態においては、太陽電池パネル２５の上下方向の受光角度を調節するための調節機構２７が設けられている。このため、太陽電池パネル２５の受光角度を季節ごとの日照方向に合わせて調節することができて、太陽電池パネル２５の発電効率を高めることができる。
【００３２】
（第２実施形態）
次に、この発明の第２実施形態を、前記第１実施形態と異なる部分を中心に説明する。
さて、この第２実施形態においては、図５に示すように、移動枠１７の両側枠部１７ａ間に上下一対の横桟部４１が間隔をおいて配置され、この横桟部４１間に縦長状の清掃機構２１が移動枠１７の移動方向と同方向へ往復移動可能に支持されている。清掃機構２１の本体部２１ａ上部には受水口２１ｃが設けられている。一方の側枠部１７ａ内には供給機構３５が配置され、その供給口３５ａが側枠部１７ａの内側面に開口されている。太陽電池パネル２５の前面上端部には、洗浄水を噴出するための複数の放出口４２が設けられている。
【００３３】
そして、移動枠１７が移動範囲の端部に移動されることにより、供給機構３５及び放出口４２が側枠部１７ａ内の導水管４０（図５においては、導水管４０を外部に引き出して描いている）を介して建物１１の屋上１１ａの給水口３６に接続される。それとともに、清掃機構２１が一方の側枠部１７ａ側に移動されることにより、清掃機構２１の受水口２１ｃが供給機構３５の供給口３５ａに接触される。この状態で、供給口３５ａから清掃部材２１ｂ側に洗浄水が供給されて、清掃部材２１ｂが湿潤されるとともに、放出口４２から太陽電池パネル２５の前面に洗浄水が噴出されて、太陽電池パネル２５の前面が洗浄される。
【００３４】
従って、この第２実施形態においても、前記第１実施形態に記載の効果とほぼ同様な効果を得ることができる。また、この第２実施形態においては、以下の効果を得ることができる。
【００３５】
（９）  この実施形態においては、太陽電池パネル２５の前面が洗浄されるように構成されているため、塵埃付着等によって太陽電池パネル２５の発電能力が低下するおそれを防止することができる。また、夏期等の高温時に放出口４２からの放水により太陽電池パネル２５を冷却して、太陽電池パネル２５の発電効率低下を抑制できる。
【００３６】
（第３実施形態）
次に、この発明の第３実施形態を、前記第１実施形態と異なる部分を中心に説明する。
さて、この第３実施形態においては、図６に示すように、前記第１実施形態の移動ケース１４が省略され、移動枠１７の両側枠部１７ａが建物１１の屋上１１ａの案内レール１２に対して直接に移動可能に支持されている。両側枠部１７ａの上部後縁間には上枠部４３が架設され、この上枠部４３内に供給機構３５が配置されて、その供給口３５ａが上枠部４３の前面に開口されている。また、この実施形態では、複数の二次電池３１が移動枠１７の側枠部１７ａ内に収容配置されるとともに、制御装置３４が両側枠部１７ａの下端部間の下枠部４４内に収容配置されている。
【００３７】
さらに、この実施形態においては、案内ローラ１８，２２の軸上にインホイルモータ（図示しない）が装備され、そのインホイルモータによって移動枠１７の水平移動及び清掃機構２１の上下移動が駆動される。
【００３８】
従って、この第３実施形態においても、前記第１実施形態に記載の効果とほぼ同様な効果を得ることができるとともに、この第３実施形態においては、以下の効果がある。
（１０）  この第３実施形態では、移動ケース１４が存在しないため、そのためのスペース確保が不要である。従って、建物外面清掃装置の上方に上層階がある場合等に都合がよい。
【００３９】
（第４実施形態）
次に、この発明の第４実施形態を、前記第１実施形態と異なる部分を中心に説明する。
さて、この第４実施形態においては、図７に示すように、前記第３実施形態の場合と同様に、移動ケース１４が設けられず、供給機構３５が移動枠１７の上枠部４３内に、二次電池３１が側枠部１７ａ内に、制御装置３４が下枠部４４内にそれぞれ収容配置されている。また、この実施形態においては、清掃機構２１の清掃部材２１ｂが左右２分割された本体部２１ａに回転可能に支持された清掃ブラシから構成されている。そして、この清掃ブラシよりなる清掃部材２１ｂが、本体部２１ａ内に収容配置されたフラットモータよりなる回転用モータ４５にて回転されることにより、建物１１の外面１１ｂが清掃される。
【００４０】
従って、この第４実施形態においても、前記第１実施形態に記載の効果とほぼ同様な効果を得ることができる。また、この第４実施形態においては、以下の効果がある。
（１１）  この実施形態においては、清掃部材２１ｂが回転可能な清掃ブラシから構成されているため、外面１１ｂの清掃作業を短時間に効率よく行うことができる。
【００４１】
（第５実施形態）
次に、この発明の第５実施形態を、前記第１実施形態と異なる部分を中心に説明する。
さて、この第５実施形態においては、図８に示すように、移動枠１７の両側枠部１７ａ間の外側前面に、支持枠４６がその上端部のヒンジ４７を介して傾動可能に取り付けられている。支持枠４６の前面には、太陽電池パネル２５の枠２５Ａがその上下両端中央部の支軸４８を介して回動可能に支持されている。支持枠４６の上部には上部側の支軸４８に連結された回動用モータ４９が設けられている。そして、四季における太陽光の受光方向の変化に合わせて、支持枠４６がヒンジ４７を中心に上下方向に傾動されることにより、太陽電池パネル２５の上下方向の受光角度が調節される。また、１日における日照方向の変化に合わせて、太陽電池パネル２５が支軸４８を中心に左右方向に回動されることにより、太陽電池パネル２５の左右方向の受光角度が調節される。
【００４２】
従って、この第５実施形態においても、前記第１実施形態に記載の効果とほぼ同様な効果を得ることができる。また、この第５実施形態においては、以下の効果がある。
（１２）  太陽電池パネル２５の受光角度を太陽光の受光方向の変化に合わせて上下方向及び左右方向に調節することができるため、太陽電池パネル２５の発電効率を一層向上させることができる。
【００４３】
（変更例）
なお、この実施形態は、次のように変更して具体化することも可能である。
・  図１に鎖線で示すように、移動枠１７の両側枠部１７ａを建物１１の複数階の外面１１ｂに沿って延びるように配置し、清掃機構２１が両側枠部１７ａに沿って移動されることにより、複数階の外面１１ｂが清掃されるように構成すること。
【００４４】
・  清掃機構２１を移動枠１７の側枠部１７ａに固定し、移動枠１７の移動にともなって清掃部材２１ｂにより外面１１ｂが清掃されるように構成すること。
・  移動ケース１４の前面に移動枠１７を突設した構成において、清掃機構２１の清掃部材２１ｂとして、第４実施形態のように清掃ブラシを用いること。
【００４５】
・  図８に示す前記第５実施形態において、太陽電池パネル２５を左右方向に回動させる構成を残して、太陽電池パネル２５を上下方向に傾動させる構成を省略すること。
・  太陽電池パネル２５を側面形Ｌ型をなすように構成すること。このように構成すれば、前記各実施形態の太陽電池パネル２５に加えて、移動枠１７の上部において水平面上に位置する太陽電池パネルを追加することができ、太陽電池パネルをさらに大面積にして、大電力を発電できる。
【００４６】
・  太陽電池パネルを複数枚に分割し、各太陽電池パネルがそれぞれ上下方向あるいは左右方向に角度調節できるようにすること。図１に示す第１実施形態において、複数枚の太陽電池パネル２５を上下方向に配列するとともに、それらの太陽電池パネル２５をヒンジを介して移動枠１７に上下方向に傾動可能に支持すること。あるいは、図８に示す第５実施形態において、複数枚の太陽電池パネル２５を左右方向に配列するとともに、それらの太陽電池パネル２５を支軸４８を介して移動枠１７に左右方向に回動可能に支持すること。
【００４７】
・  太陽電池パネル２５の上下方向あるいは左右方向の角度調節を手動により行うように構成すること。
・  前記実施形態においては、移動枠１７を建物１１の屋上１１ａに支持したが、ベランダやテラスに案内レールを設けて、そのベランダやテラスに支持したり、壁部の頂面に案内レールを設けてその頂面に支持したり、あるいは、傾斜屋根の案内レールを設けて、その傾斜屋根に支持したり、移動枠１７を支持できるところであれば、いずれの場所に支持してもよい。
【００４８】
（別の技術的思想）
さらに、上記実施形態により把握される請求項以外の技術的思想について、以下にそれらの効果とともに記載する。
【００４９】
（Ａ）  前記清掃手段がモータの駆動により建物の外面に沿って移動されるように構成したことを特徴とする請求項２または３に記載の建物外面清掃装置。
この構成によれば、清掃手段をモータにて移動させることにより、清掃手段による建物の外面の広い範囲を清掃することができる。
【００５０】
（Ｂ）  前記清掃手段に洗浄水を供給するための供給手段を設けたことを特徴とする請求項１〜３、他の技術的思想（Ａ）項のうちのいずれか一項に記載の建物外面清掃装置。
この構成によれば、供給手段から清掃手段に洗浄水を供給することにより、雨水によることなく建物の外面を清掃できる。
【００５１】
（Ｃ）  前記移動枠は上下方向に延びる一対の側枠部を有し、その側枠部間に清掃手段に設けるとともに、側枠部の外側面上に前記太陽電池パネルを設けたことを特徴とする請求項１〜３、他の技術的思想（Ａ）項、（Ｂ）項のうちのいずれか一項に記載の建物外面清掃装置。
【００５２】
この構成によれば、移動枠の側枠部に対して、清掃手段及び太陽電池パネルをおさまり良く支持することができる。
（Ｄ）  前記移動枠を移動させるためのモータ及び清掃手段を移動させるためのモータの駆動電力を、前記太陽電池パネルにより発電された電力から得るように構成したことを特徴とする他の技術的思想（Ａ）〜（Ｃ）項のうちのいずれか一項に記載の建物外面清掃装置。
【００５３】
この構成によれば、省エネルギーを達成できる。
【図面の簡単な説明】
【００５４】
【図１】第１実施形態の建物外面清掃装置を示す要部分解斜視図。
【図２】図１の建物外面清掃装置における移動枠の支持構成を拡大して示す要部側断面図。
【図３】同建物外面清掃装置における清掃機構の支持構成を拡大して示す要部平断面図。
【図４】同建物外面清掃装置における太陽電池パネルの角度調節構成を拡大して示す要部側面図。
【図５】第２実施形態の建物外面清掃装置を示す要部分解斜視図。
【図６】第３実施形態の建物外面清掃装置を示す要部分解斜視図。
【図７】第４実施形態の建物外面清掃装置を示す要部分解斜視図。
【図８】第５実施形態の建物外面清掃装置を示す要部分解斜視図。
【符号の説明】
【００５５】
１１…建物、１１ｂ…壁面、１２…案内手段としての案内レール、１３…案内手段としての案内溝、１４…移動ケース、１６…移動用モータ、１７…移動枠、１７ａ…側枠部、２０…ラック、２１…清掃手段としての清掃機構、２１ａ…本体部、２１ｂ…清掃部材、２３…ピニオン、２４…移動用モータ、２５…太陽電池パネル、２７…調節手段としての調節機構、２９…調節用モータ、３１…二次電池、３４…制御装置、３５…供給手段としての供給機構、３５ａ…供給口、３６…給水口。
【図１】
2010142297.tif 000003
【図２】
2010142297.tif 000004
【図３】
2010142297.tif 000005
【図４】
2010142297.tif 000006
【図５】
2010142297.tif 000007
【図６】
2010142297.tif 000008
【図７】
2010142297.tif 000009
【図８】
2010142297.tif 000010